(57)【特許請求の範囲】
【請求項１】
軸体に車輪本体を設けた車輪部と、前記車輪部の着脱が可能なように前記軸体と嵌合する嵌合体および取付け対象物へ取り付ける取付体が設けられた筐体部と、から構成されたキャスターを支持するキャスター支持用治具であって、
前記取付け対象物の重量を支持する平坦面を有するベース部と、
前記ベース部の一端部から起立し、前記ベース部とで略Ｌ字形となるように成形されるとともに、起立した先端に前記ベース部の前記平坦面と略平行に突出する突出部が設けられ、前記突出部が前記筐体部の所定部位に当接することによって前記嵌合体から前記車輪部の取外しができるように持ち上げ支持する起立部と、
を備える、
ことを特徴とするキャスター支持用治具。
【請求項２】
前記突出部の幅方向両端に、前記起立部の起立している方向に突出した爪状片が設けられている、
ことを特徴とする請求項１に記載のキャスター支持用治具。
【請求項３】
前記突出部に、前記突出部が突出している方向に掘られた溝部を有する、
ことを特徴とする請求項１又は請求項２に記載のキャスター支持用治具。
【請求項４】
前記ベース部における前記平坦面と反対側の面の前記一端部側に凸部が設けられている、
ことを特徴とする請求項１から請求項３までの何れか１項に記載のキャスター支持用治具。
【請求項５】
前記ベース部における前記平坦面と反対側の面にレールが形成され、このレールの前記一端部側が湾曲形状を備えている、
ことを特徴とする請求項１から請求項４までの何れか１項に記載のキャスター支持用治具。
【請求項６】
前記車輪部は、前記軸体の両端に前記車輪本体を設けており、
前記起立部が前記車輪本体の間に潜りこまされるとともに、前記ベース部が前記車輪本体を包囲するように湾曲させた前記筐体部の筐体本体に当接させられた状態で、前記一端部を支点にして前記平坦面が底面となるように動かされることで、前記突出部が前記嵌合体へ当接して前記キャスターが持ち上がる、
ことを特徴とする請求項１から請求項５までの何れか１項に記載のキャスター支持用治具。
【発明の詳細な説明】
【技術分野】
【０００１】
本発明は、ワゴンといった移動用台などに備え付けられているキャスターを持ち上げて支持するキャスター支持用治具に関する。
【背景技術】
【０００２】
従来から、ワゴンなどの移動用台、精密電子機器を含め、動かす必要があるものの重量の重い機器類などには、スムーズな移動を可能とするために車輪部と、この車輪部を包囲するとともに、移動用台などへ取り付けるための取付部を備える筐体部とからなる所謂キャスターが、その底部に取り付けられていることが多い。キャスターは、車輪部と筐体部の取付体とが、ベアリングなどで相互に回転可能な関係とされている。このため、キャスターを移動用台の脚に取り付けようとすると、空回りし、取付部のネジが移動用台の脚に螺合しにくく、その取り付けに時間を要するという問題がある。下記特許文献１〜３では、このような問題に関連し、キャスターの取付け対象物への取付け、取外しの容易化技術に関する発明又は考案が提案されている。
【先行技術文献】
【特許文献】
【０００３】
【特許文献１】実開平７−９６０２号公報
【特許文献２】特開２００１−１８７９０８号公報
【特許文献３】特開２００１−１３０２０６号公報
【発明の概要】
【発明が解決しようとする課題】
【０００４】
ここで、キャスターが取り付けられた移動用台、機器類などを活用すればするほど、その車輪部が摩耗して傷み、或いは汚れるので、交換や清掃をする必要が生じるものの、車輪部を包囲する筐体部が摩耗したり汚れたりすることは比較的少なく、その必要性に乏しいという現実がある。特に、キャスターが取り付けられた取付け対象物が重量物であればあるほど、車輪部の傷みが早く、激しいので、その交換の時期も早まる傾向にある。したがって、キャスターの筐体部から車輪部のみを取り外し、また車輪部を筐体部に取り付けることのできる用具、器具が求められている。また、キャスターの筐体部から車輪部のみを取り外し、キャスターの筐体部と車輪部との間に挟まったゴミを清掃したいという要求がある。しかしながら、上記特許文献１〜３において、キャスターの車輪部のみを取り外すことについては言及されていない。
【０００５】
また、移動用台において、備品を台上に載置したままキャスターの筐体部から車輪部のみを取り外すことができれば便宜である。キャスターの取付け対象物が精密電子部品などを搭載する機器であって、水分及びこれに類するものを同時に扱うものであれば、故障等のリスクから、そのものを倒して車輪部の交換作業を進めることができない場合も考えられる。その他、電気用品安全法により、特定の電子機器について倒れたりすることがない傾き（例えば、１０度以内の傾き）で扱うことが要請されている。したがって、取付け対象物を倒すことなく、取付け対象物の一隅に取り付けられたキャスターを宙に浮かせつつ、その車輪部の交換作業を進めることのできる支持具が求められている。このほか、取付け対象物を傾倒させてキャスターの交換を行うことは、その作業者への負担も大きいので、これを避けることにより作業者の負担軽減というメリットが得られる。
【０００６】
本発明は、上記実情に鑑み提案され、移動用台などの取付け対象物に取り付けられた所謂キャスターを簡便かつ手軽に持ち上げて支持することができ、かつ、キャスターの車輪部の交換に資することも可能なキャスター支持用治具を提供すること目的とする。
【課題を解決するための手段】
【０００７】
上記目的を達成するため、本発明は、軸体に車輪本体を設けた車輪部と、前記車輪部の着脱が可能なように前記軸体と嵌合する嵌合体および取付け対象物へ取り付ける取付体が設けられた筐体部と、から構成されたキャスターを支持するキャスター支持用治具であって、前記取付け対象物の重量を支持する平坦面を有するベース部と、前記ベース部の一端部から起立し、前記ベース部とで略Ｌ字形となるように成形されるとともに、起立した先端に前記ベース部の前記平坦面と略平行に突出する突出部が設けられ、前記突出部が前記筐体部の所定部位に当接することによって前記嵌合体から前記車輪部の取外しができるように持ち上げ支持する起立部とを備えることを特徴とするキャスター支持用治具である。
【０００８】
特に、本発明は、上記構成に加え、前記突出部の幅方向両端に、前記起立部の起立している方向に突出した爪状片が設けられていることを特徴とする。前記突出部に、前記突出部が突出している方向に掘られた溝部を有することも特徴とする。
【０００９】
また、前記ベース部における前記平坦面と反対側の面の前記一端部側に凸部が設けられていることを特徴とする。さらに、前記ベース部における前記平坦面と反対側の面にレールが形成され、このレールの前記一端部側が湾曲形状を備えていることを特徴とする。
【００１０】
そして、本発明は、前記車輪部は、前記軸体の両端に前記車輪本体を設けており、
前記起立部が前記車輪本体の間に潜りこまされるとともに、前記ベース部が前記車輪本体を包囲するように湾曲させた前記筐体部の筐体本体に当接させられた状態で、前記一端部を支点にして前記平坦面が底面となるように動かされることで、前記突出部が前記嵌合体へ当接して前記キャスターが持ち上がることを特徴とする。
【発明の効果】
【００１１】
本発明は、車輪部と、この車輪部を包囲するとともに、取付け対象物への取付体を備える筐体部とからなる所謂キャスターを持ち上げて支持することが可能なキャスター支持用治具に係る。その構成は、平坦面を有するベース部と、このベース部の一端部から起立し、ベース部とで略Ｌ字形となるように成形されるとともに、起立した先端にベース部の平坦面と略平行に突出する突出部が設けられている起立部とからなる。そして、起立部をキャスターの車輪部を構成する車輪本体の間に潜りこませるとともに、ベース部を、筐体部を構成する筐体本体に当接させた状態で、一端部を支点にして平坦面が底面となるように動かすことで突出部を、筐体部を構成する嵌合体へ当接させ、テコの原理を用いてキャスターを持ち上げる作用を有する。したがって、取付け対象物を含めた相当の重量を、比較的軽い力で持ち上げることができることとなる。
【００１２】
さらに、軽い力でキャスターを持ち上げることができるため、例えば、キャスターからの車輪部の取り外しや、交換作業をスムーズに行うことができる。特に、キャスターを持ち上げるので、取付け対象物を倒すことなく支持し、車輪部を宙に浮かせて、車輪部の交換等の作業を進めることができる。起立部に突出部が設けられている構成により、キャスターを取付け対象物ごと持ち上げた際に、突出部がキャスターの嵌合体に引っ掛かって、キャスターとの間で発生するすべりを防止することができる。また、支持時においてキャスターが意図せず回転することを防止することもできる。これにより、取付け対象物を安定的に支持することができる。
【００１３】
本発明は、突出部の幅方向両端に、起立部の起立している方向に突出する爪状片が設けられている構成である。この構成により、キャスターを取付け対象物ごと持ち上げた際に、キャスターの嵌合体の幅方向両端が爪状片に係止され、キャスター支持用治具とキャスターとのすべりを確実に防止することができる。また、キャスターが回転することも効果的に防止することができる。突出部に、突出部が突出している方向に掘られた溝部を有する構成により、型成形による合わせ部分がキャスターの嵌合体に存在した場合にも、この合わせ部分を溝部に収容してキャスター支持用治具とキャスターとの間で発生するすべりを防止することができる。
【００１４】
さらに、本発明は、ベース部における平坦面と反対側の面の一端部側に凸部が設けられている構成である。この構成より、ベース部を筐体本体に当接させる目印として凸部を機能させることができるので、この凸部を通じて間違いなく、突出部を嵌合体へ当接させてキャスターを持ち上げることができる。なお、凸部を目印にキャスターの車輪部を本発明に係るキャスター支持用治具にセットすることで、取り外した車輪部を再び筐体部へ取り付けることも容易に実現することができる。
【００１５】
本発明は、ベース部における平坦面と反対側の面に、車輪部の形状に対応するレールが形成され、このレールの一端部側が湾曲形状を備えている。この構成により、筐体部から取り外した車輪部を、そのままレールに載せて車輪部を遊ばせることがないようにすることができ、車輪部が転がってどこかに消えてしまうなどの事象を防ぐことができる。
【図面の簡単な説明】
【００１６】
【図１】キャスター車輪部取外し用治具をキャスターに適用し、その車輪部を取り外す場面を、一部（キャスター）を断面で示して説明する一部断面説明図である。
【図２】キャスター車輪部取外し用治具の概略全体を示し、（ａ）はその斜視図、（ｂ）はその正面図、（ｃ）はその右側面図、（ｄ）はその平面図である。
【図３】本発明に係るキャスター支持用治具の概略全体を示し、（ａ）はその斜視図、（ｂ）はその背面図、（ｃ）はその平面図、（ｄ）はその正面図、（ｅ）はその右側面図である。
【図４】本発明に係るキャスター支持用治具が、キャスターに適用する場面を、一部（キャスター）を断面で示して説明する一部断面説明図である。
【図５】本発明により、キャスターから車輪部を取り外す一連の様子を、一部（キャスター）を断面で示して説明する説明図であり、（ａ）は、車輪部を取り外すのにキャスター支持用治具でキャスターを持ち上げた場面を説明する説明図、（ｂ）は、車輪部を取り外すのにキャスター車輪部取外し用治具をキャスターに適用する場面を説明する説明図、（ｃ）キャスターから車輪部が取り外され、取付け対象物（移動用台）がキャスター支持用治具により支持されている様子を説明する説明図である。
【発明を実施するための形態】
【００１７】
以下、本発明に係るキャスター支持用治具と、キャスター車輪部取外し用治具とを用いて行うキャスターの車輪部の取り外しに関する一実施形態について、図面を参照しつつ説明していく。この実施形態は、本発明の構成を具現化した例示に過ぎず、本発明は、特許請求の範囲に記載した事項を逸脱することがなければ、種々の設計変更を行うことができる。
【００１８】
キャスター車輪部取外し用治具１は、図１に示すように、車輪部１００と、この車輪部１００を包囲する筐体部２００とからなるキャスター１０から、車輪部１００のみを取り外すのに使用される。
【００１９】
キャスター１０は、車輪部１００が、所定長さの軸体１１０及び、この軸体の両端に設けられる車輪本体１２０からなる。筐体部２００は、車輪本体１２０が包囲されるように湾曲させて形成された筐体本体２１０を有している。この筐体本体２１０の車輪本体１２０を包囲する側に、軸体１１０と嵌合する嵌合凹部２３０を有する嵌合体２２０が設けられている。また、筐体本体２１０の車輪本体１２０を包囲する側と反対側に、取付け対象物へ取り付けるネジ等の螺合部材を備えた取付体２４０が設けられている。
【００２０】
キャスター車輪部取外し用治具１は、図２（ａ）〜（ｄ）に示すように、閉塞側の基部１２と開放側の腕部１１とから可撓性を有する略Ｕ字形に成形されている。具体的には、略Ｕ字形の開放側の一対の腕部１１と、これらの腕部１１同士を連結して湾曲する閉塞側の基部１２とから略Ｕ字形に成形されている。一対の腕部１１には、それぞれ突出片部１１ａが設けられている。突出片部１１ａは、一対の腕部１１から互いに対面する向きに突出している。また、突出片部１１ａは、キャスター１０の車輪本体１２０の外周に対応させた湾曲片とされている。基部１２は、一対の腕部１１間の幅（距離）よりも、その幅において膨出した湾曲形状を備えている（図２（ｄ）参照）。キャスター車輪部取外し用治具１は、腕部１１が押圧されることにより撓む性質である。
【００２１】
キャスター車輪部取外し用治具１に、基部１２の中点１２ａから突出片部１１ａの間へ向けて延伸する中央片部１３が設けられている。この中央片部１３の延伸した先端部分１３ａは、筐体本体２１０の車輪本体１２０を包囲する側と反対側の表面形状に対応させた湾曲形状を有している（図２（ａ）参照）。また、中央片部１３は略Ｕ字形を形成する腕部１１及び基部１２に対し、やや上方へ向かって開放側（先端１３ｂ）へ延伸している（図２（ｃ）参照）。中央片部１３の延伸した先端１３ｂは、筐体部２００の取付体２４０の外周形状に対応させた湾曲辺とされている（図２（ａ）、（ｃ）参照）。
【００２２】
図１に示すように、キャスター車輪部取外し用治具１をキャスター１０に適用することで、キャスター１０の車輪部１００が筐体部２００から取り外される。
【００２３】
すなわち、中央片部１３の先端部分１３ａを、キャスター１０における筐体本体２１０の車輪本体１２０を包囲する側と反対側の表面に沿わせるとともに、中央片部１３の先端１３ｂを取付体２４０に当接させて、キャスター車輪部取外し用治具１を筐体本体２１０上で位置決めする。
【００２４】
その上で、一対の腕部１１を、突出片部１１ａが互いに近づくように押圧して撓ませ、突出片部１１ａをキャスター１０の筐体本体２１０に包囲されている車輪本体１２０と、筐体本体２１０との隙間に差し込む。これにより、その湾曲形状によって突出片部１１ａに車輪本体１２０と筐体本体２１０とが離れる方向の応力を発生させ、嵌合凹部２３０と軸体との嵌合を解くものである。
【００２５】
なお、キャスター車輪部取外し用治具１が筐体本体２１０上で位置決めされるのは、中央片部１３の延伸した先端部分１３ａが、筐体本体２１０の車輪本体１２０を包囲する側と反対側の表面形状に対応する湾曲形状を備えるからである。中央片部１３が略Ｕ字形を形成する腕部１１及び基部１２に対し、やや上方へ向かって開放側（先端１３ｂ）へ延伸していることも、キャスター車輪部取外し用治具１の筐体本体２１０上での確実な位置決めに寄与している。
【００２６】
また、突出片部１１ａを車輪本体１２０と、筐体本体２１０との隙間に効率的に差し込むことができるのは、突出片部１１ａが、車輪本体１２０の外周に対応させた湾曲片であるからである。基部１２が一対の腕部１１間の幅よりも、その幅において膨出した湾曲形状であることにより、軽い力で、一対の腕部１１を突出片部１１ａが互いに近づくように撓ませることが可能になる。基部１２の膨出した湾曲形状により、軽い力で、車輪本体１２０と筐体本体２１０とが離れる方向の応力を突出片部１１ａに発生させることも可能となる。
【００２７】
本発明は、キャスター車輪部取外し用治具１による車輪部１００の筐体部２００からの取外しを補助するとともに、キャスター１０を持ち上げて支持することが可能なキャスター支持用治具２に係る。図３（ａ）〜（ｅ）に示すように、キャスター支持用治具２は、略Ｌ字形に成形されている。
【００２８】
具体的には、平坦面２１ａを有し、この平坦面２１ａを底面としてキャスター１０が取り付けられた取付け対象物の重量を支持するベース部２１と、このベース部２１の一端部２１１から起立し、ベース部２１とで略Ｌ字形となるように成形されている起立部２２とからなる。起立部２２の起立した先端には、ベース部２１の平坦面２１ａと略平行に突出する突出部２２１が設けられている。
【００２９】
ベース部２１の平坦面２１ａと反対側の面には、軸体１１０及び車輪本体１２０からなる車輪部１００の形状に対応する断面視凸状のレール２１ｂが形成されている。レール２１ｂの一端部２１１側に、車輪本体１２０の外周に対応させた湾曲形状としての湾曲部２１ｂ１が形成されている。この湾曲部２１ｂ１の近傍のレール２１ｂ上に、凸部２１ｂ２が設けられている（以上、図３（ａ）、（ｅ）参照）。
【００３０】
突出部２２１の幅方向両端には、爪状片２２１ａが設けられている（図３（ｂ）、（ｄ）参照）。また、突出部２２１における爪状片２２１ａが設けられた側の面には、突出方向と平行に溝が掘られ、溝部２２１ｂが形成されている（図３（ｃ）等参照）。
【００３１】
図４に示すように、キャスター支持用治具２を用い、キャスター車輪部取外し用治具１による車輪部１００の筐体部２００からの取外しを補助する際には、起立部２２をキャスター１０の車輪部１０における車輪本体１２０の間に潜りこませる。このとき、筐体本体２１０がレール２１ｂの一端部２１１側の凸部２１ｂ２に当接するまで起立部２２を潜りこませる。続いて、一端部２１１を支点にして平坦面２１ａが底面となるように動かすことで、突出部２２１を筐体部２００における嵌合体２２０の取付体２４０側へ当接させて、キャスター１０を持ち上げるのである。
【００３２】
キャスター１０が持ち上がる際には、突出部２２１の突出した形状により、キャスター支持用治具２とキャスター１０との間で発生するすべりを防止することができる。また、突出部２２１の幅方向両端の爪状片２２１ａが、筐体部２００における嵌合体２２０の取付体２４０側へ、嵌合体２２０の幅方向両端の外側から嵌り込む。これにより、キャスター支持用治具２とキャスター１０とのすべりを防止することができるとともに、キャスター１０がその取付体２４０を回転軸として回転することを防止することもできる。
【００３３】
さらに、突出部２２１における嵌合体２２０と当接する面に形成された溝部２２１ｂにより、型成形による合わせ部分である突片が嵌合体２２０に存在した場合にも、この突片を収容可能とし、やはりキャスター支持用治具２とキャスター１０との間で発生するすべりを防止することができる。
【実施例】
【００３４】
以下、図５（ａ）〜（ｃ）を参照しつつ、キャスター車輪部取外し用治具１とキャスター支持用治具２とを用い、キャスター１０から車輪部１００を取り外す様子を簡単に説明していく。
【００３５】
まず、上述したように、キャスター支持用治具２の起立部２２を車輪本体１２０の間に潜り込ませる。特に、筐体本体２１０がレール２１ｂの一端部２１１側の凸部２１ｂ２に当接するまで起立部２２を車輪本体１２０の間に潜りこませる。続いて、一端部２１１を支点にして平坦面２１ａが底面となるようにベース部２１を回転させ、突出部２２１を筐体部２００における嵌合体２２０の取付体２４０側へ当接させて、キャスター１０を持ち上げる（以上、図４参照）。
【００３６】
そうすると、図５（ａ）に示すように、キャスター１０は、その筐体部２００における嵌合体２２０の取付体２４０側に突出部２２１が当接するのを通じ、ベース部２１で支持されるので、起立部２２の長さ（高さ）の分だけ、キャスター１０が床から持ち上がる。
【００３７】
続いて、図５（ｂ）に示すように、床から持ち上がっているキャスター１０に対し、キャスター車輪部取外し用治具１の中央片部１３における先端部分１３ａを、筐体本体２１０の車輪部１００を包囲する側と反対側の表面に沿わせる。さらに、中央片部１３の先端１３ｂを取付体２４０に当接させ、キャスター車輪部取外し用治具１を筐体本体２１０上で位置決めする。
【００３８】
最後に、キャスター車輪部取外し用治具１が筐体本体２１０上で位置決めされた状態で、一対の腕部１１を突出片部１１ａが互いに近づくように押圧して撓ませ、突出片部１１ａをキャスター１０の車輪本体１２０と、筐体本体２１０との隙間に差し込む。これにより、図５（ｃ）に示すように、嵌合凹部２３０と軸体１１０との嵌合が解かれ、キャスター１０から車輪部１００のみを取り外すことできる。
【００３９】
なお、移動用台などのキャスター１０を取り付ける取り付け対象物がその場で固定されるのであれば、キャスター支持用治具２を、図５（ｃ）に示す状態のまま放置してもよい。また、ベース部２１の平坦面２１ａと反対側の面に、軸体１１０及び車輪本体１２０からなる車輪部１００の形状に対応する断面視凸状のレール２１ｂが形成されているので、図５（ｃ）に示すように、筐体部２００から外された車輪部１００が、レール２１ｂ上に載せられ、転がってどこかに消えてしまうことを防ぐことができる。
【００４０】
さらに、キャスター支持用治具２の突出部２２１によって嵌合体２２０が支持され、車輪部１００が床から持ち上がり、宙に浮いた状態にあるので、交換した車輪部１１０の軸体１１０を嵌合凹部２３０へ嵌合するのも容易となる。すなわち、レール２１ｂの一端部２１１側が車輪本体１２０の外周に対応させた湾曲部２１ｂ１であるので、この湾曲部２１ｂ１に車輪部１００を載せつつ、一端部２１１を支点にして平坦面２１ａが側面となるようにベース部２１を回転させ、キャスター１０を下ろすことにより、その軸体１１０を容易に筐体部２００における嵌合凹部２３０へ嵌合させることができる。車輪部１００をレール２１ｂ上に載せる際には、凸部２１ｂ２を目印にすることができるので便宜である。これにより、取り外した車輪部１００を再び筐体部２００へ取り付けてキャスター１０の機能を復活させることが可能となる。
【００４１】
したがって、本発明では、キャスター車輪部取外し用治具１とキャスター支持用治具２とを用いることにより、摩耗などして傷み、交換の必要が生じるキャスター１０の車輪部１００のみを取り外すことが可能となる。取り外したキャスターの車輪部１００の汚れは簡単に清掃することができる。さらに、キャスター車輪部取外し用治具１の操作が、一対の腕部１１を突出片部１１ａが互いに近づくように押圧して撓ませ、突出片部１１ａを、車輪本体１２０と筐体本体２１０との隙間に差し込むといった簡便なものであるので、極めて便宜なキャスター車輪部取外し用治具１として提供することができる。
【００４２】
さらに、キャスター支持用治具２は、その一端部２１１を支点にして平坦面２１ａが底面となるようにベース部２１を回転させるという簡便な操作により、キャスター１０を持ち上げることができる。このため、キャスター車輪部取外し用治具１の補助具として有用となる。特に、キャスター支持用治具２により、備品が載置されたままの移動用台や重量物であるなど、転倒させることができない取付け対象物に取り付けられたキャスター１０であっても簡単に、これを持ち上げることができる。したがって、キャスター支持用治具２により、取付け対象物を倒すことなく、車輪部１００の交換作業を進めることができる。
【００４３】
以上、本発明の一実施形態を例示して説明したが、本発明は、特許請求の範囲に記載された事項を逸脱することがなければ、種々の設計変更を行うことが可能である。キャスター車輪部取外し用治具及びキャスター支持用治具は、その材質として合成樹脂製のもの、金属製のもの等、各種の材質ものを採用することができる。なお、キャスター車輪部取外し用治具として、その略Ｕ字形に成形される際に、互いに近づかせる向きに押圧することのできる柔軟性、可撓性を腕部に備えさせることが好ましい。また、キャスター支持用治具として、その成形の際に移動用台などのキャスターを取り付ける取り付け対象物の重量を支持することのできる強度を備えさせることが好ましい。
【００４４】
また、上記実施形態では、本発明に係るキャスター支持用治具に関し、キャスターの車輪部の取り外しや交換に適用される場面を例示して説明したが、本発明は、このような適用の場面に限定されるものではない。すなわち、移動用台や電子精密機器等の相当な重量の取付け対象物に取り付けられたキャスターを支持することが必要な多くの場面に適用することができる。しかも、取付け対象物を倒すことなく、軽い力で、かつ簡便な操作により、相当な重量の取付け対象物に取り付けられたキャスターを持ち上げることができることとなる。
【００４５】
また、本発明に係るキャスター支持用治具を、キャスターの車輪部の取り外しや交換に活用する際にも、上記実施形態で説明したキャスター車輪部取外し用治具を用いたキャスターの車輪部の取り外しに限定されることはない。例えば、マイナスドライバーを用いてキャスターの車輪部を筐体部から取り外すことができるが、この場合においても、取付け対象物に取り付けられたキャスターを支持する治具として本発明を採用することが好ましいといえる。
【符号の説明】
【００４６】
１・・・・・キャスター車輪部取外し用治具
１１・・・・腕部
１１ａ・・・突出片部
１１ｂ・・・細径部
１２・・・・基部
１２ａ・・・中点
１３・・・・中央片部
１３ａ・・・先端部分
１３ｂ・・・先端
２・・・・・キャスター支持用治具（本発明）
２１・・・・ベース部
２１１・・・一端部
２１ａ・・・平坦面
２１ｂ・・・レール
２１ｂ１・・湾曲形状
２１ｂ２・・凸部
２２・・・・起立部
２２１・・・突出部
１０・・・・キャスター
１００・・・車輪部
１１０・・・軸体
１２０・・・車輪本体
２００・・・筐体部
２１０・・・筐体本体
２２０・・・嵌合体
２３０・・・嵌合凹部
２４０・・・取付体
【図１】
0005888568.tif 000002
【図２】
0005888568.tif 000003
【図３】
0005888568.tif 000004
【図４】
0005888568.tif 000005
【図５】
0005888568.tif 000006